(57)【要約】【課題】  パソコンとの通信対応がなされていないタイマの場合やパソコンとの通信対応がなされていても通信方法が異なりパソコンを活用したタイマ間のデ―タの送受ができないような場合でもパソコン又はロボット制御盤での設定ができ、管理，運用上の工数低減が図れる溶接機用通信制御方法及び装置を提供する。【解決手段】  パソコン又はロボット制御盤と溶接用タイマとの間に情報の授受を相互に行う溶接機の通信制御において、少なくともパソコン又はロボット制御盤へ接続する通信回路６とコンピュ―タ回路７と溶接用タイマへ接続する通信回路８と前記コンピュ―タ回路へ接続するタイマ種別認識切換器９とを備えた通信制御器２を、パソコン又はロボット制御盤と溶接用タイマへそれぞれ通信回線４，５で接続し得るようにした。【選択図】  図２
2005279722.tif 000002
【特許請求の範囲】
【請求項１】
パソコン又はロボット制御盤と溶接用タイマとの間に情報の授受を相互に行う溶接機の通信制御において、パソコン又はロボット制御盤で設定したデ―タを通信制御器に取り込み、該通信制御器において前記取り込んだ情報を溶接用タイマが認識通信できるような通信方法に整合し、該整合した情報を通信制御器から溶接用タイマに送信し、更にパソコン又はロボット制御盤の要求により、溶接用タイマのデ―タを前記通信制御器に取り込み、該通信制御器において前記取り込んだ情報を通信制御器によりパソコン又はロボット制御盤と通信できるような通信方法に整合し、該整合した情報を通信制御器からパソコン又はロボット制御盤に送信するようにしたことを特徴とする溶接機用通信制御方法。
【請求項２】
パソコン又はロボット制御盤と溶接用タイマとの間に情報の授受を相互に行う溶接機の通信制御において、少なくともパソコン又はロボット制御盤へ接続する通信回路とコンピュ―タ回路と溶接用タイマへ接続する通信回路と前記コンピュ―タ回路へ接続するタイマ種別認識切換器とを備えた通信制御器を、パソコン又はロボット制御盤と溶接用タイマへそれぞれ通信回線で接続し得るようにしたことを特徴とする溶接機用通信制御装置。
【発明の詳細な説明】
【技術分野】
【０００１】
本発明は、パソコン又はロボット制御盤と溶接用タイマとの間に情報の授受を相互に行う溶接機用通信制御方法及び装置に関するものである。
【背景技術】
【０００２】
従来、パソコンとタイマとの間に情報の授受を相互に行う通信制御方法及び装置において、パソコンとタイマとの間に通信コントロ―ラを配置したものがある（例えば、特許文献１参照。）。
【０００３】
【特許文献１】特開平５ー２３８３６号公報
【発明の開示】
【発明が解決しようとする課題】
【０００４】
ところで、前記従来技術のものにおいては、タイマの通信方法に格別に差異のないものにおいてはパソコンとの通信が可能であるが、使用するタイマがパソコンと通信対応がなされていない場合や、通信対応がなされていても通信方法が異なりパソコンを活用したタイマ間のデ―タの送受ができないような場合には、タイマとパソコンとの通信が不可能であり、そのため使用するタイマに制限がある、という問題がある。
【０００５】
本発明は、従来の技術の有するこのような問題点に鑑みてなされたものであり、その目的とするところは、パソコン又はロボット制御盤で設定したデ―タを通信制御器に取り込み、該通信制御器において前記取り込んだ情報を溶接用タイマが認識通信できるような通信方法に整合することにより、パソコンとの通信対応がなされていないタイマの場合やパソコンとの通信対応がなされていても通信方法が異なりパソコンを活用したタイマ間のデ―タの送受ができないような場合でもパソコン又はロボット制御盤での設定ができ、管理，運用上の工数低減が図れる溶接機用通信制御方法及び装置を提供しようとするものである。
【課題を解決するための手段】
【０００６】
上記目的を達成するために、本発明における溶接機用通信制御方法は、パソコン又はロボット制御盤と溶接用タイマとの間に情報の授受を相互に行う溶接機の通信制御において、パソコン又はロボット制御盤で設定したデ―タを通信制御器に取り込み、該通信制御器において前記取り込んだ情報を溶接用タイマが認識通信できるような通信方法に整合し、該整合した情報を通信制御器から溶接用タイマに送信し、更にパソコン又はロボット制御盤の要求により、溶接用タイマのデ―タを前記通信制御器に取り込み、該通信制御器において前記取り込んだ情報を通信制御器によりパソコン又はロボット制御盤と通信できるような通信方法に整合し、該整合した情報を通信制御器からパソコン又はロボット制御盤に送信するようにしたことを特徴とするものである。
【０００７】
また、本発明における溶接機用通信制御装置は、パソコン又はロボット制御盤と溶接用タイマとの間に情報の授受を相互に行う溶接機の通信制御において、少なくともパソコン又はロボット制御盤へ接続する通信回路とコンピュ―タ回路と溶接用タイマへ接続する通信回路と前記コンピュ―タ回路へ接続するタイマ種別認識切換器とを備えた通信制御器を、パソコン又はロボット制御盤と溶接用タイマへそれぞれ通信回線で接続し得るようにしたことを特徴とするものである。
【発明の効果】
【０００８】
本発明における溶接機用通信制御方法及び装置では、パソコン又はロボット制御盤で設定したデ―タを通信制御器に取り込み、該通信制御器において前記取り込んだ情報を溶接用タイマが認識通信できるような通信方法に整合することにより、パソコンとの通信対応がなされていないタイマの場合やパソコンとの通信対応がなされていても通信方法が異なりパソコンを活用したタイマ間のデ―タの送受ができないような場合でもパソコン又はロボット制御盤での設定ができ、管理，運用上の工数低減が図れるものである。
【発明を実施するための最良の形態】
【０００９】
添付図面を参照して本発明の実施例について説明する。
図１は本発明に係る溶接機用通信制御方法及び装置を実施する要部の回路図、図２は本発明に係る通信制御器の実施例の回路図である。
【００１０】
図１において、１はパソコン又はロボットの制御盤、２は溶接機用通信制御器、３は溶接用タイマでありＴ１，Ｔ２……ＴｎのＮ台からなるものである。そして、パソコン又はロボットの制御盤１と溶接機用通信制御器２とは例えばシリアル通信ケ―ブルのような通信回線４で、溶接機用通信制御器２と溶接用タイマ３とも例えばシリアル通信ケ―ブルのような通信回線５でそれぞれ接続されている。なお、前記通信回線４，５については、シリアル通信ケ―ブルに限らず他の普通に知られている光線，音波等を用いたものであってもよい。
【００１１】
前記溶接機用通信制御器２は図２に示すように、主として，パソコン又はロボットの制御盤１と溶接機用通信制御器２との通信を行うための処理回路である例えばシリアル通信回路のような通信回路６（送受信回路）と、パソコン又はロボットの制御盤１と溶接機用通信制御器２間及び溶接機用通信制御器２と溶接用タイマ３間の通信を行うための通信情報全体の制御を行うコンピュ―タ回路７と、溶接機用通信制御器２と溶接用タイマ３との通信を行うための処理回路である例えばシリアル通信回路のような通信回路８（送受信回路）と、通信するタイマ３の種別認識切換器９とを備えている。
【００１２】
また、前記コンピュ―タ回路７には、タイマの種別認識切換器９の外，パソコン又はロボットの制御盤１と溶接機用通信制御器２間の通信エラ―が発生した場合の表示器１０、パソコン又はロボットの制御盤１と溶接機用通信制御器２間の通信状態を示す表示器１１、溶接機用通信制御器２と溶接用タイマ３間の通信エラ―が発生した場合の表示器１２、パソコン又はロボットの制御盤１を使用せず溶接機用通信制御器２から溶接用タイマ３に送信する場合の送信スタ―トスイッチ１３、パソコン又はロボットの制御盤１を使用せず溶接用タイマ３から溶接機用通信制御器２に受信する場合の受信スタ―トスイッチ１４、溶接用タイマ３を接続しない状態でパソコン又はロボットの制御盤１と溶接機用通信制御器２間で通信（送受信）をする場合の切換スイッチ１５等が接続されている。
【００１３】
そして、前記シリアル通信回路のような通信回路６がパソコン又はロボットの制御盤１と前記シリアル通信ケ―ブルのような通信回線４で、前記シリアル通信回路のような通信回路８が溶接用タイマ３と前記シリアル通信ケ―ブルのような通信回線５で接続されているのである。
【００１４】
以上のような構成からなるパソコン又はロボット制御盤１と溶接用タイマ３との間に情報の授受を相互に行う溶接機の通信制御において、パソコン又はロボット制御盤１から送られてきたコマンドは通信回線４を経て溶接機用通信制御器２内の通信回路６を経由しコンピュ―タ回路７に取り込まれる。
【００１５】
取り込んだコマンドにより、コマンドがパソコン又はロボット制御盤１からの情報を「タイマ３に送信せよ」との指示ならば、コンピュ―タ回路７よりどのようなタイマ３と通信するかをタイマの種別認識切換器９から情報を得るか、又は前記コマンド中にタイマの指示がある場合にはその指示にしたがって、通信するタイマ３と合致させた通信方法（通信手順，速度，デ―タ配列，デ―タ長，デ―タ形式，デ―タ範囲，主従等の情報）にコンピュ―タ回路７で整合させ、この整合した情報を通信回路８を経て通信回線５から溶接用タイマ３に送信する。
【００１６】
次に、パソコン又はロボット制御盤１から送られてきたコマンドが「タイマ３のデ―タをパソコン又はロボット制御盤１に送信せよ」との指示ならば、前記と同様に、コンピュ―タ回路７がタイマの種別認識切換器９から情報を得るか、又は前記コマンド中にタイマの指示がある場合にはその指示にしたがって、通信するタイマ３に合致させた通信方法に変換し該タイマ３に溶接機用通信制御器２への送信要求を行い、タイマデ―タを通信回線５を経て通信回路８からコンピュ―タ回路７に取り込む。
【００１７】
コンピュ―タ回路７に取り込んだデ―タは、これがパソコン又はロボット制御盤１で受信処理ができるようにコンピュ―タ回路７で通信方法の整合を行い、コンピュ―タ回路７から通信回路６，通信回線４を経てパソコン又はロボット制御盤１に送信する。
【００１８】
このように、パソコン又はロボット制御盤１で設定したデ―タを通信制御器２に取り込み、該通信制御器２において前記取り込んだ情報を溶接用タイマ３が認識通信できるような通信方法に整合することにより、パソコンとの通信対応がなされていないタイマの場合やパソコンとの通信対応がなされていても通信方法が異なりパソコンを活用したタイマ間のデ―タの送受ができないような場合でもパソコン又はロボット制御盤１での設定ができるのである。
【００１９】
図３は本発明に係る通信制御器の使用例の１つを示すものであり、通信制御器２を可搬式とし、該通信制御器２をパソコン又はロボット制御盤１と接続して相互に情報の授受を行わせ、また、該通信制御器２を溶接用タイマ３と接続して相互に情報の授受を行わせるようにしたものである。
【００２０】
このように通信制御器２を可搬式とした場合には、パソコン又はロボット制御盤１と溶接用タイマ３が離れた部位にあっても、通信制御器２が情報の仲介役となってパソコン又はロボット制御盤１と溶接用タイマ３との間の情報の授受が容易にできるものである。
【図面の簡単な説明】
【００２１】
【図１】図１は本発明に係る溶接機用通信制御方法及び装置を実施する要部の回路図である。
【図２】図２は本発明で使用される通信制御器の実施例の回路図である。
【図３】図３は本発明に係る溶接機用通信制御方法及び装置を実施する一実施例の説明図である。
【符号の説明】
【００２２】
１                        パソコン又はロボット制御盤
２                        溶接機用通信制御器
３                        溶接用タイマ
４，５                    通信回線
６，８                    通信回路
７                        コンピュ―タ回路
９                        タイマ種別認識切換器
【図１】
2005279722.tif 000003
【図２】
2005279722.tif 000004
【図３】
2005279722.tif 000005
【手続補正書】
【提出日】平成16年4月15日(2004.4.15)
【手続補正１】
【補正対象書類名】図面
【補正対象項目名】図２
【補正方法】変更
【補正の内容】
【図２】
2005279722.tif 000006